(57)【特許請求の範囲】
【請求項１】
液体燃料を貯える給油タンクに給油口用の口金を設け、この口金に弁付きキャップを着脱自在に取り付け、この弁付きキャップの外周部に着脱自在に嵌められて一体化する回転補助具を備え、この回転補助具と共に弁付きキャップを回転させて着脱する給油タンク装置であって、
弁付きキャップの一部を給油タンクの口金に嵌まる拡幅部に形成してその開口周縁部を外方向に曲げ、弁付きキャップの残部を径の小さい縮幅部に形成し、回転補助具を略筒形に形成するとともに、この回転補助具の弁付きキャップの拡幅部に対向する拡幅部用周壁を周方向に分割して複数の縦壁を所定の間隔をおいて並べ設け、この複数の縦壁の間に、弁付きキャップの開口周縁部に引っかかる可撓性の係止片を設けたことを特徴とする給油タンク装置。
【請求項２】
弁付きキャップの縮幅部に対向する回転補助具の縮幅部用周壁に、弁付きキャップの縮幅部に嵌まる断面略Ｌ字形の嵌合壁を設け、縮幅部用周壁を嵌合壁よりも長く伸ばした請求項１記載の給油タンク装置。
【発明の詳細な説明】
【０００１】
【発明の属する技術分野】
本発明は、石油燃焼器具等における給油タンクの弁付きキャップを手を汚すことなく開閉することのできる給油タンク装置に関するものである。
【０００２】
【従来の技術】
従来、給油タンクに給油する際、灯油により手が汚れないようにする装置としては、図示しないが、例えば給油タンクの弁付きキャップに、付属の開閉専用キャップを被せて弁付きキャップを開閉するタイプ、あるいは給油タンクの給油部を弁付きキャップを含めた一つの給油装置として構成し、ボタン一つで弁付きキャップを開閉するタイプ等があげられる。
しかしながら、付属の開閉専用キャップを使用する前者のタイプには、給油の度に開閉専用キャップを装着しなければならないという問題があり、給油タンクの給油部を弁付きキャップを含めた一つの給油装置に構成する後者のタイプには、コストが非常に嵩んでしまうという問題がある。
【０００３】
こうした中、実開平４−１２２９３１号や特開平９−１０５５１４号公報には、給油キャップに燃料が付着するのを抑制することのできる簡易な構成の給油タンク装置が開示されている。
以下、係る装置の構成を簡単に説明すると、本体の固定タンクに給油タンクを装着すると、覆筒が固定タンクのボスホルダーに当接してバネの弾性力に抗して上昇し、覆筒がボスホルダーの上端部で停止し、弁付きキャップのみがボスホルダーの内部に嵌入する。このような構成によれば、灯油に弁付きキャップが浸るものの、覆筒は浸漬することがない。
固定タンクから給油タンクを外すと、覆筒がバネにより押されて下降し、覆筒が弁付きキャップを被覆する。給油時には、灯油の付着していない最外側の覆筒を握り、弁付きキャップを回転させて着脱すれば良い。
【０００４】
【発明が解決しようとする課題】
従来の給油タンク装置は、以上のように構成されているが、給油タンクを持ち上げた場合、弁付きキャップの先端部よりも覆筒が上方に位置しているので、弁付きキャップを取り外そうとすると、手のひらに弁付きキャップの先端部が接触し、灯油により手が汚れてしまうという問題がある。
【０００５】
また、給油タンクを持ち上げたときの反動により、弁付きキャップの先端部に付着した灯油が弁付きキャップの外周方向に飛び散り、回転補助具の内周縁部を乗り越えて回転補助具の上端面に付着してしまうという問題がある。また、回転補助具と覆筒との嵌合手段が、回転補助具の覆筒挿入部における周辺壁の取付ピンを覆筒に開口したスリットに嵌合させる構成なので、回転補助具と覆筒との安定性が悪いという問題もある。さらに、嵌合部に作用する回転補助具からの回転力を点で受けてしまうので、大きな力が作用し、回転補助具と覆筒の破損が多発することとなる。
【０００６】
本発明は、上記課題に鑑みなされたもので、弁付きキャップを取り外す際に液体燃料により手が汚れてしまうことがなく、しかも、大きな力の作用に伴う破損を抑制防止することのできる安定な給油タンク装置を提供することを目的としている。
【０００７】
【課題を解決するための手段】
本発明においては上記課題を解決するため、液体燃料を貯える給油タンクに給油口用の口金を設け、この口金に弁付きキャップを着脱自在に取り付け、この弁付きキャップの外周部に着脱自在に嵌められて一体化する回転補助具を備え、この回転補助具と共に弁付きキャップを回転させて着脱するものであって、
弁付きキャップの一部を給油タンクの口金に嵌まる拡幅部に形成してその開口周縁部を外方向に曲げ、弁付きキャップの残部を径の小さい縮幅部に形成し、回転補助具を略筒形に形成するとともに、この回転補助具の弁付きキャップの拡幅部に対向する拡幅部用周壁を周方向に分割して複数の縦壁を所定の間隔をおいて並べ設け、この複数の縦壁の間に、弁付きキャップの開口周縁部に引っかかる可撓性の係止片を設けたことを特徴としている。
【０００８】
なお、弁付きキャップの縮幅部に対向する回転補助具の縮幅部用周壁に、弁付きキャップの縮幅部に嵌まる断面略Ｌ字形の嵌合壁を設け、縮幅部用周壁を嵌合壁よりも長く伸ばすことが好ましい。
【０００９】
ここで、特許請求の範囲における液体燃料には、少なくとも石油や灯油等が含まれる。係止片は単数複数いずれでも良い。嵌合壁の断面略Ｌ字形には、少なくとも断面略Ｌ字形、断面略逆Ｌ字形、断面略Ｊ字形等が含まれる。
【００１０】
【発明の実施の形態】
以下、図面を参照して本発明の好ましい実施形態を説明すると、本実施形態における給油タンク装置は、図１ないし図５に示すように、図示しない液体燃料である灯油を貯える給油タンク１に給油口用の口金２を設け、この口金２に弁付きキャップ１０をパッキン１５を介し着脱自在に螺合し、この弁付きキャップ１０の外周部に覆筒である回転補助具２０を着脱自在に嵌合して一体化し、この回転補助具２０と共に弁付きキャップ１０を回転させて着脱するようにしている。
【００１１】
給油タンク１は、図１に示すように、その箱形のタンク本体の底部に、略円筒形を呈した給油口用の口金２が固定あるいは着脱自在に螺着され、例えば本体の燃料タンク３に着脱自在に接続される。この燃料タンク３は、給油タンク１の口金２、弁付きキャップ１０、及び回転補助具２０が嵌合するオイルフィルター４を備え、このオイルフィルター４の底部中心に突き上げピン５が立設される。オイルフィルター４は、略円筒形の拡径部６と、この拡径部６の開口下端部に一体形成されて突き上げピン５を支持する基本的には略有底円筒形の縮径部７とから構成される。
【００１２】
弁付きキャップ１０は、図１に示すように、その一部である上部が給油タンク１の口金２に螺合する円筒形の拡幅部１１に形成され、この拡幅部１１の開口周縁部１２が半径外方向に湾曲形成してカールされる。弁付きキャップ１０は、その残部である下部が径の小さい略有底円筒形の縮幅部１３に形成され、この縮幅部１３の断面形状が円形の三方向(略三等分)を平坦部に形設される。また、縮幅部１３の下面部には、オイルフィルター４の突き上げピン５により開閉する弁機構１４が装着される。この弁機構１４の弁体は、縮幅部１３の底部中心に位置し、この弁体がオイルフィルター４の突き上げピン５によりバネに抗して後退する。
【００１３】
回転補助具２０は、図３ないし図５に示すように、弁付きキャップ１０よりも少々大きい略円筒形に形成され、弁付きキャップ１０の拡幅部１１に嵌合対向する略上半分の拡幅部用周壁が周方向に切り欠いて分割されることにより、複数の縦壁２１が所定の間隔(本実施形態では、９０°間隔)をおいて並設される。複数の縦壁２１は、各縦壁２１の両端部が半径外方向に屈曲形成され、縦壁２１と縦壁２１の間に、これらよりも少々半径外方向に位置する可撓性の係止片２２が複数立設されており、各係止片２２の上端部には、弁付きキャップ１０の開口周縁部１２に係止する鉤爪２３が突設される。
【００１４】
回転補助具２０の外周面には、複数の縦壁２１と係止片２２とを囲む平面略多角形(本実施形態では、八角形)の包囲壁２４が周設され、この断面略Ｌ字形の包囲壁２４がオイルフィルター４の拡径部６と縮径部７との段差部付近に搭載支持される。この包囲壁２４は、複数の縦壁２１や係止片２２よりも高く長く形成され、内周面には縦壁２１の両端部が接続される。包囲壁２４の各壁２５は、半径内方向に少々円弧状に凹み形成され、操作時に指が滑らないようになっている。
【００１５】
回転補助具２０の弁付きキャップ１０の縮幅部１３に遊嵌対向する略下半分の縮幅部用周壁２６には図１や図５に示すように、弁付きキャップ１０の縮幅部１３付近を嵌合支持する断面略逆Ｌ字形の嵌合壁２７が一体的に周設され、この油面側に位置する嵌合壁２７が縮幅部用周壁２６よりも少々短く、嵌合壁２７の下面部形状は弁付きキャップ１０の縮幅部１３の形状よりも僅かに大きい寸法に形成される。換言すれば、回転補助具２０の縮幅部用周壁２６は、嵌合壁２７よりも下方に長く(高く)伸長形成され、弁付きキャップ１０の弁体よりも上方に位置するよう形成される。
【００１６】
上記構成において、弁付きキャップ１０に回転補助具２０を取り付ける場合には、弁付きキャップ１０に回転補助具２０をその開口上端部側から嵌入して押圧すれば良い。すると、弁付きキャップ１０の開口周縁部１２の下端部を縦壁２１の上面部で受け、上端部を各係止片２２の鉤爪２３とで係止し、この係止により安定性の期待できる取り付けが完了する。
係る作業の際、弁付きキャップ１０の弁体は、手が触れないよう、回転補助具２０の縮幅部用周壁２６よりも突出して油面に浸かることとなる。これに対し、縮幅部用周壁２６の下端面は、油面から一定の距離だけ離れて位置するので、灯油付着のおそれがない。
【００１７】
本体の燃料タンク３に給油タンク１を装着すると、オイルフィルター内の突き上げピン５により、弁付きキャップ１０の弁体が押圧され、給油タンク１内の灯油が燃料タンク３に流出し、弁付きキャップ１０の弁体部分で灯油が定油面となる。この際、弁付きキャップ１０の弁体が灯油で濡れることとなるが、回転補助具２０の縮幅部用周壁２６と嵌合壁２７とは弁体よりも上方に位置するので、灯油による汚染が有効に抑制される。
【００１８】
次に、燃料タンク３から給油タンク１を持ち上げると、その反動により弁付きキャップ１０の弁体等に付着した灯油は、回転補助具２０の複数の縦壁２１と包囲壁２４との間、あるいは回転補助具２０の縮幅部用周壁２６と嵌合壁２７との間に溜まるので、弁付きキャップ１０を開閉回転させる際、回転補助具２０の包囲壁２４を灯油で汚すことがない。したがって、手を灯油で汚すことがなく、清潔な使用が大いに期待できる。さらに、大きな力の作用することがないので、弁付きキャップ１０や回転補助具２０の破損を有効に抑制防止することができる。
【００１９】
【発明の効果】
以上のように本発明によれば、弁付きキャップの外周部に着脱自在に嵌められて一体化する回転補助具を備え、この回転補助具と共に弁付きキャップを回転させて着脱するので、弁付きキャップを取り外す際に液体燃料等により手が汚れてしまうことがなく、大きな力の作用に伴う破損を抑制あるいは防止することができるという効果がある。
【図面の簡単な説明】
【図１】本発明に係る給油タンク装置の実施形態を示す模式断面説明図である。
【図２】本発明に係る給油タンク装置の実施形態における回転補助具を示す平面図である。
【図３】本発明に係る給油タンク装置の実施形態における回転補助具を示す正面図である。
【図４】本発明に係る給油タンク装置の実施形態における回転補助具を示す斜め上方斜視図である。
【図５】本発明に係る給油タンク装置の実施形態における回転補助具を示す斜め下方斜視図である。
【符号の説明】
１          給油タンク
２          口金
４          オイルフィルター
１０        弁付きキャップ
１１        拡幅部
１２        開口周縁部
１３        縮幅部
１４        弁機構
２０        回転補助具
２１        縦壁
２２        係止片
２３        鉤爪
２４        包囲壁
２５        各壁
２６        縮幅部用周壁
２７        嵌合壁
【図１】
0003865647.tif 000002
【図２】
0003865647.tif 000003
【図３】
0003865647.tif 000004
【図４】
0003865647.tif 000005
【図５】
0003865647.tif 000006